(57)【要約】      （修正有）【課題】液体中の固形物の一部が固形物のままで液体噴射装置内に導入された場合であっても、液体の流路が詰まって信頼性が低下することのない、液体噴射装置を提供する。【解決手段】流路ユニット９０は、流路部材１３０を有し、流路部材１３０は、フレーム９６と接続部材１３１とを含む。また、流路ユニット９０は、フィルター９７とフィルター室フィルム９５と、弁板１３３と弁ユニット１３４と、を有している。弁ユニット１３４は、流路ユニットばね１３６と、流路ユニット弁体１３７と、流路ユニットシール部１３８と、接続フィルム１３９とを備える。【選択図】図５
2016150520.tif 000002
【特許請求の範囲】
【請求項１】
液体噴射装置に着脱可能に装着されるアダプターであって、
前記液体噴射装置に供給される液体を導入する液体導入部と、
前記液体導入部から導入された前記液体を前記液体噴射装置に供給する液体供給部と、
前記液体導入部から前記液体供給部に前記液体を導く流路と、
前記液体導入部と前記液体供給部との間で前記流路内に設けられたフィルターと、を備える、
ことを特徴とするアダプター。
【請求項２】
請求項１に記載のアダプターであって、
前記流路のうちの少なくとも一部を構成する流路部材を有し、
前記フィルターが前記流路部材の内部に収容されており、
前記流路部材が、前記アダプターに対して着脱可能に構成されている、
ことを特徴とするアダプター。
【請求項３】
請求項２に記載のアダプターであって、
前記流路部材に前記液体導入部が設けられており、
前記流路部材は、前記液体供給部の上流側において前記液体供給部に接続されている、
ことを特徴とするアダプター。
【請求項４】
請求項２又は３に記載のアダプターであって、
前記流路部材において前記フィルターよりも前記液体導入部側に、前記流路部材から前記液体導入部に向かう前記液体の流れを阻む第１弁が設けられている、
ことを特徴とするアダプター。
【請求項５】
請求項２から４までのいずれか一項に記載のアダプターであって、
前記流路部材において前記フィルターよりも前記液体供給部側に、前記流路部材と前記液体供給部との間の接続が解除された状態で前記流路部材から流出する前記液体の流れを阻む第２弁が設けられている、
ことを特徴とするアダプター。
【請求項６】
請求項３に記載のアダプターであって、
前記流路部材は、
前記液体導入部と前記フィルターとの間に設けられた第１流路部材と、
前記第１流路部材と前記液体供給部との間に設けられた第２流路部材と、を含み、
前記フィルターは、前記第２流路部材に収容されており、
前記第１流路部材と前記第２流路部材とが、前記第１流路部材及び前記第２流路部材の少なくとも一方に設けられた第１接続部を介して互いに接続されている、
ことを特徴とするアダプター。
【請求項７】
請求項６に記載のアダプターであって、
前記第２流路部材において前記フィルターよりも前記第１流路部材側に、前記第１流路部材と前記第２流路部材との接続が解除された状態で前記第２流路部材から前記第１流路部材に向かう前記液体の流れを阻む第１弁が設けられている、
ことを特徴とするアダプター。
【請求項８】
請求項６又は７に記載のアダプターであって、
前記第２流路部材において前記フィルターよりも前記液体供給部側に、前記第２流路部材と前記液体供給部との接続が解除された状態で前記第２流路部材から前記液体供給部に向かう前記液体の流れを阻む第２弁が設けられている、
ことを特徴とするアダプター。
【請求項９】
請求項２から８までのいずれか一項に記載のアダプターであって、
前記フィルターに関する情報を記憶した記憶装置を備える、
ことを特徴とするアダプター。
【請求項１０】
請求項９に記載のアダプターであって、
前記記憶装置が、前記アダプターに着脱可能に設けられている、
ことを特徴とするアダプター。
【請求項１１】
液体噴射装置に着脱可能に装着されるアダプターに装着可能なフィルターユニットであって、
前記アダプターは、
前記液体噴射装置に供給される液体を導入する液体導入部と、
前記液体導入部から導入された前記液体を前記液体噴射装置に供給する液体供給部と、を含み、
前記フィルターユニットは、
前記液体導入部から前記液体供給部に前記液体を導く流路のうちの少なくとも一部を構成する流路部材と、
前記流路部材に収容されたフィルターと、を備え、
流路部材が着脱可能に構成されている、
ことを特徴とするフィルターユニット。
【発明の詳細な説明】
【技術分野】
【０００１】
本発明は、アダプター、フィルターユニットに関する。
【背景技術】
【０００２】
従来から、インク（液体）を噴射して印刷を行うインクジェット式のプリンター（液体噴射装置）が知られている。このような液体噴射装置では、液体収容容器の一例であるインクカートリッジからインクの供給を受けるものが知られている。これに対して、大容量の外部タンクからアダプター（アタッチメント）を介して液体噴射装置に液体を供給可能な液体供給装置が知られている（例えば、特許文献１参照）。この構成によれば、外部タンクの交換頻度をインクカートリッジの交換頻度よりも軽減することができるので、比較的大量の印刷を行う場合に好都合である。
【先行技術文献】
【特許文献】
【０００３】
【特許文献１】特開２００６−２２４５２９号公報
【発明の概要】
【発明が解決しようとする課題】
【０００４】
近年、液体噴射装置に供給される液体の種類が多岐にわたってきている。例えば、顔料や金属粉などの粒子を液体に分散させたものがある。このような液体では、経時的に粒子の一部が凝集し大きな固形物が形成されることがある。このような固形物は、液体を撹拌することによって容易に粒子に崩すことができる。しかしながら、このような固形物の一部が固形物の態様のままで液体噴射装置内に導入されると、液体の流路が詰まってしまうことが考えられる。このようなことが発生すると、液体噴射装置の信頼性が低下してしまう。つまり、従来の液体供給装置やアダプターでは、液体噴射装置の信頼性を向上させることが困難であるという課題があった。
【０００５】
本発明は、上記の課題の少なくとも一部を解決するためになされたものであり、以下の形態または適用例として実現することが可能である。
【課題を解決するための手段】
【０００６】
［適用例１］液体噴射装置に着脱可能に装着されるアダプターであって、前記液体噴射装置に供給される液体を導入する液体導入部と、前記液体導入部から導入された前記液体を前記液体噴射装置に供給する液体供給部と、前記液体導入部から前記液体供給部に前記液体を導く流路と、前記液体導入部と前記液体供給部との間で前記流路内に設けられたフィルターと、を備える、ことを特徴とするアダプター。
【０００７】
この構成によれば、アダプターの流路内に設けられたフィルターによって、流路内を液体供給部に向かう異物を捕捉することができる。これにより、液体供給部から液体噴射装置に異物が流入することを避けることができる。よって、液体噴射装置の信頼性を向上させることができる。
【０００８】
［適用例２］上記のアダプターであって、前記流路のうちの少なくとも一部を構成する流路部材を有し、前記フィルターが前記流路部材の内部に収容されており、前記流路部材が、前記アダプターに対して着脱可能に構成されている、ことを特徴とするアダプター。
【０００９】
この構成によれば、流路部材がアダプターに対して着脱可能に構成されているので、流路部材を新たな流路部材に交換することによって、フィルターを新たなフィルターに交換することができる。
【００１０】
［適用例３］上記のアダプターであって、前記流路部材に前記液体導入部が設けられており、前記流路部材は、前記液体供給部の上流側において前記液体供給部に接続されている、ことを特徴とするアダプター。
【００１１】
この構成によれば、流路部材と液体供給部との接続を解除することができる。これにより、流路部材をアダプターに対して着脱可能に構成することができる。
【００１２】
［適用例４］上記のアダプターであって、前記流路部材において前記フィルターよりも前記液体導入部側に、前記流路部材から前記液体導入部に向かう前記液体の流れを阻む第１弁が設けられている、ことを特徴とするアダプター。
【００１３】
この構成によれば、流路部材から液体が漏出することを避けやすい。
【００１４】
［適用例５］上記のアダプターであって、前記流路部材において前記フィルターよりも前記液体供給部側に、前記流路部材と前記液体供給部との間の接続が解除された状態で前記流路部材から流出する前記液体の流れを阻む第２弁が設けられている、ことを特徴とするアダプター。
【００１５】
この構成によれば、流路部材と液体供給部との接続が解除された状態で、流路部材から液体が漏出することを避けやすい。
【００１６】
［適用例６］上記のアダプターであって、前記流路部材は、前記液体導入部と前記フィルターとの間に設けられた第１流路部材と、前記第１流路部材と前記液体供給部との間に設けられた第２流路部材と、を含み、前記フィルターは、前記第２流路部材に収容されており、前記第１流路部材と前記第２流路部材とが、前記第１流路部材及び前記第２流路部材の少なくとも一方に設けられた第１接続部を介して互いに接続されている、ことを特徴とするアダプター。
【００１７】
この構成によれば、第１接続部において第１流路部材と第２流路部材との接続を解除することができる。また、液体供給部の上流側において第２流路部材と液体供給部との接続を解除することができる。よって、この構成によれば、第２流路部材をアダプターに対して着脱可能に構成することができる。これにより、第２流路部材を新たな第２流路部材に交換することによって、フィルターを新たなフィルターに交換することができる。
【００１８】
［適用例７］上記のアダプターであって、前記第２流路部材において前記フィルターよりも前記第１流路部材側に、前記第１流路部材と前記第２流路部材との接続が解除された状態で前記第２流路部材から前記第１流路部材に向かう前記液体の流れを阻む第１弁が設けられている、ことを特徴とするアダプター。
【００１９】
この構成によれば、第１流路部材と第２流路部材との接続が解除された状態で、第２流路部材から液体が漏出することを避けやすい。
【００２０】
［適用例８］上記のアダプターであって、前記第２流路部材において前記フィルターよりも前記液体供給部側に、前記第２流路部材と前記液体供給部との接続が解除された状態で前記第２流路部材から前記液体供給部に向かう前記液体の流れを阻む第２弁が設けられている、ことを特徴とするアダプター。
【００２１】
この構成によれば、液体供給部と第２流路部材との接続が解除された状態で、第２流路部材から液体が漏出することを避けやすい。
【００２２】
［適用例９］上記のアダプターであって、前記フィルターに関する情報を記憶した記憶装置を備える、ことを特徴とするアダプター。
【００２３】
この構成によれば、フィルターに関する情報をアダプターに付加することができる。フィルターに関する情報としては、例えば、フィルターの交換タイミングに関する情報などが挙げられる。これにより、ユーザーは、例えば、記憶装置からの情報に基づいてフィルターの交換タイミングを知ることができる。
【００２４】
［適用例１０］上記のアダプターであって、前記記憶装置が、前記アダプターに着脱可能に設けられている、ことを特徴とするアダプター。
【００２５】
この構成によれば、記憶装置がアダプターに着脱可能に設けられているので、例えば、フィルターを交換するときに記憶装置も一緒に新たな記憶装置に交換することができる。
【００２６】
［適用例１１］液体噴射装置に着脱可能に装着されるアダプターに装着可能なフィルターユニットであって、前記アダプターは、前記液体噴射装置に供給される液体を導入する液体導入部と、前記液体導入部から導入された前記液体を前記液体噴射装置に供給する液体供給部と、を含み、前記フィルターユニットは、前記液体導入部から前記液体供給部に前記液体を導く流路のうちの少なくとも一部を構成する流路部材と、前記流路部材に収容されたフィルターと、を備え、流路部材が着脱可能に構成されている、ことを特徴とするフィルターユニット。
【００２７】
この構成によれば、アダプターに対して着脱可能に構成されたフィルターユニットを提供することができる。これにより、フィルターユニットを新たなフィルターユニットに交換することによって、フィルターを新たなフィルターに交換することができる。
【図面の簡単な説明】
【００２８】
【図１】液体噴射装置の一例であるプリンターの一実施形態を示す概略斜視図。
【図２】プリンターに装着されるアダプターの外観図。
【図３】アダプターの内部を示す分解斜視図。
【図４】アダプターの構造を示す分解斜視図。
【図５】流路ユニットの構造を示す分解斜視図。
【図６】流路ユニットの構造を示す分解斜視図。
【図７】インク供給部を示す断面図。
【図８】流路ユニットを示す断面図。
【図９】アダプターと回路基板との分解斜視図。
【図１０】アダプターと基板ユニットとの分解斜視図。
【図１１】流路ユニットと回路基板との提供の一実施形態を示す図。
【図１２】流路ユニットと基板ユニットとの提供の一実施形態を示す図。
【図１３】アダプターの構造の変形例を示す図。
【発明を実施するための形態】
【００２９】
以下、液体噴射装置の一例であるインクジェット式のプリンターの実施形態について、図を参照しながら説明する。この実施形態のプリンターは、一方向に搬送させる用紙などの印刷媒体Pに液体の一例であるインクを噴射して画像等を形成することによって印刷媒体Pに印刷を行う。
【００３０】
《プリンターの構成》
図１に示したように、本実施形態のプリンター１１は、その一部を二点鎖線で示したように、略直方体形状の筐体１１ａを備える。筐体１１ａの上面である重力方向と反対の方向Ｚ側にはプリンター１１を駆動させるための電源ボタンなどの操作ボタン１１ｂが設けられている。また、印刷媒体Ｐが搬送される搬送方向Ｙ側となる筐体１１ａの前面には開閉可能なカバー１１ｃが設けられている。ユーザーはこのカバー１１ｃを開放した状態で筐体１１ａの内部にアクセスすることが可能である。
【００３１】
なお、図１には、相互に直交する座標軸であるＸＹＺ軸が付されている。これ以降に示す図についても必要に応じてＸＹＺ軸が付されている。本実施形態では、Ｘ軸とＹ軸とによって規定される水平な平面（ＸＹ平面）にプリンター１１を配置した状態が、プリンター１１の使用状態である。Ｚ軸は、水平な平面に直交する軸である。プリンター１１の使用状態において、Ｚ軸方向が鉛直上方向となる。そして、プリンター１１の使用状態では、図１において、−Ｚ軸方向が鉛直下方向である。なお、ＸＹＺ軸のそれぞれにおいて、矢印の向きが＋（正）の方向を示し、矢印の向きとは反対の向きが−（負）の方向を示している。
【００３２】
この筐体１１ａに覆われた内部空間に収納された略矩形箱状をなすフレーム１２内の重力方向側となる下部には、印刷媒体Ｐの搬送方向Ｙと交差する方向を長手方向とする支持台１３が略水平方向に延設される。また、フレーム１２の搬送方向Ｙと反対側となる後方側の下部には紙送りモーター１４ａが設けられている。すなわち、この紙送りモーター１４ａにより駆動される図示しない紙送り機構により、支持台１３上にその後方側から前方側に向けて印刷媒体Ｐが給送される。
【００３３】
また、フレーム１２内における支持台１３の上方には、該支持台１３の長手方向に沿ってガイド軸１５が架設されている。このガイド軸１５にはその軸線方向において往復移動可能にキャリッジ１６が支持されている。詳しくは左右方向において貫通する支持孔１６ａがキャリッジ１６に形成されるとともに、この支持孔１６ａにガイド軸１５が挿通されている。
【００３４】
フレーム１２の後壁内面において上記ガイド軸１５の両端の近傍には、駆動プーリー１７ａと従動プーリー１７ｂとがそれぞれ回転自在に支持されている。駆動プーリー１７ａと従動プーリー１７ｂとの間には一部がキャリッジ１６に連結された無端状のタイミングベルト１７が巻き掛けられている。そして、キャリッジモーター１４ｂが駆動されることにより、キャリッジ１６はタイミングベルト１７を介してガイド軸１５にガイドされつつ長手方向すなわち走査方向Ｘに沿って往復運動する。
【００３５】
キャリッジ１６の下側には液体噴出部の一例である液体噴射ヘッド１８が設けられる。この液体噴射ヘッド１８に対して供給されるインクが当該液体噴射ヘッド１８から噴射されて、印刷媒体Ｐに画像が印刷される。液体噴射ヘッド１８へのインク供給は、筐体１１ａ内に備えられた装着部２０に挿抜可能に装着されるアダプター７０を介して大容量のインクを収容する液体収容体８０によって行われる。また、インクを流動可能とするインク供給チューブＴＢが装着部２０とキャリッジ１６との間に連結されている。この供給チューブＴＢを介して装着部２０に装着されたアダプター７０を介して液体収容体８０から液体噴射ヘッド１８へのインク供給が行われる。
【００３６】
本実施形態では、装着部２０には、４つのアダプター７０が装着され得る。４つのアダプター７０には、例えば互いに異なる色相のシアン、マゼンタ、イエロー、ブラックの各色のインクがそれぞれ供給される。各アダプター７０は、開放されたカバー１１ｃを介して装着部２０に対して挿抜可能である。なお、液体収容体８０内のインク残量が乏しくなった場合、ユーザーは、液体収容体８０を新たな液体収容体８０に交換することができる。これにより、液体噴射ヘッド１８へのインクの供給を継続することができる。
【００３７】
また、フレーム１２の内部における支持台１３よりも搬送方向Ｙ先から見て走査方向Ｘ右側の領域、すなわち印刷時において使用されていないホームポジション領域には、メンテナンス装置１９が設けられている。このメンテナンス装置１９は、上方が開口したキャップ１９ａ及び不図示の吸引ポンプなどを有している。そして、プリンター１１では、キャリッジ１６がホームポジション領域に移動させられたのち、このメンテナンス装置１９において、液体噴射ヘッド１８から安定してインクが噴射するようにメンテナンス動作が行われる。
【００３８】
このようなプリンター１１において行われる種々の動作は制御部１２ａによって制御される。本実施形態では、制御部１２ａはＣＰＵやＲＡＭ、ＲＯＭなどの電気素子が実装された制御回路によって構成される。
【００３９】
《アダプターの構造》
次に、装着部２０に装着されるアダプター７０について、その構造を説明する。
図２に示すように、アダプター７０は、ケース７５と、回路基板３０と、を有している。なお、図２中のＸ軸、Ｙ軸、及びＺ軸は、図１に示すプリンター１１に対するＸ軸、Ｙ軸、及びＺ軸に対応している。つまり、図２中のＸ軸、Ｙ軸、及びＺ軸は、アダプター７０をプリンター１１に装着した状態でのＸ軸、Ｙ軸、及びＺ軸を意味する。これ以降にプリンター１１の構成部品やユニットを示す図にＸ軸、Ｙ軸、及びＺ軸が付されている場合においても、その構成部品やユニットをプリンター１１に搭載した状態でのＸ軸、Ｙ軸、及びＺ軸を意味する。
【００４０】
ケース７５は、第１ケース７３と、第２ケース７４と、を含む。ケース７５の−Ｙ方向の端部には、液体供給部７２が設けられている。回路基板３０は、ケース７５の−Ｙ方向の端部と、ケース７５のＺ方向の端部との交差部に設けられている。
【００４１】
回路基板３０には、装着部２０内に設けられた接点機構（図示せず）に接触する複数の端子３７が設けられている。また、回路基板３０には、不揮発性メモリーなどの記憶装置（図示せず）が設けられている。回路基板３０の複数の端子３７は、この記憶装置に電気的に接続されている。アダプター７０が装着部２０に装着された状態において、回路基板３０の複数の端子３７は、装着部２０の接点機構に電気的に接触する。この接点機構は、プリンター１１の制御部１２ａ（図１）に電気的に接続されている。そして、接点機構とアダプター７０の記憶装置とが、回路基板３０を介して電気的につながることによって、制御部１２ａとアダプター７０の記憶装置との間で各種情報の伝達が可能となる。
【００４２】
《アダプターの部材構成》
次に、アダプター７０の部材構成について説明する。
【００４３】
第１ケース７３と第２ケース７４とは、図３に示すように、互いに着脱可能に構成されている。第１ケース７３は、収容部７６を有している。収容部７６は、Ｘ方向に向かって凹となる向きに形成されている。第２ケース７４は、収容部７６の開口を塞いでいる。収容部７６内には、流路ユニット９０が収容されている。アダプター７０では、第１ケース７３の収容部７６内に流路ユニット９０を収容した状態で、第１ケース７３の収容部７６が第２ケース７４によって塞がれている。このため、流路ユニット９０は、第１ケース７３と第２ケース７４との間に位置している。
【００４４】
流路ユニット９０のＹ方向における端部には、第１ケース７３に形成された開口を介してチューブ７１（図２）が接続される。また、流路ユニット９０の−Ｙ方向の端部は、第１ケース７３に設けられた液体供給部７２に接続される。流路ユニット９０は、液体収容体８０から液体噴射ヘッド１８までのインクの流路の一部を構成している。液体収容体８０に収容されているインクは、チューブ７１を介して流路ユニット９０に供給される。液体収容体８０から流路ユニット９０に供給されたインクは、流路ユニット９０から液体供給部７２を介して供給チューブＴＢ（図１）に供給される。
【００４５】
流路ユニット９０は、図４に示すように、第１ケース７３から着脱可能に構成されている。これは、流路ユニット９０と液体供給部７２との接続を解除することによって達成され得る。また、流路ユニット９０は、液体導入部９１と、接続部９３と、を有している。液体導入部９１にチューブ７１（図２）が接続される。接続部９３は、収容部７６側から液体供給部７２に接続される。
【００４６】
液体供給部７２は、供給路８５と、接続針８９と、弁ユニット８４と、を含む。供給路８５は、第１ケース７３に形成されており、収容部７６から第１ケース７３の−Ｙ方向の端部において第１ケース７３の外側に貫通している。接続針８９は、供給路８５内に設けられており、供給路８５から収容部７６に向かって突出している。
【００４７】
弁ユニット８４は、供給路８５の内部に収容されている。弁ユニット８４は、ばね８６と、弁体８７と、シール部材８８と、を有している。ばね８６、弁体８７、及びシール部材８８は、この順にＹ方向に、第１ケース７３の外側から供給路８５内に収容される。弁ユニット８４は、供給路８５内において、Ｙ方向にばね８６、弁体８７、及びシール部材８８の順に配置されている。
【００４８】
《流路ユニットの構造》
次に、流路ユニット９０の構造について説明する。
【００４９】
図５は流路ユニット９０の分解斜視図である。図６は流路ユニット９０の分解斜視図である。図７は接続部９３に接続針８９が挿入された形状を示す断面図である。図８は流路ユニット９０の断面図である。
【００５０】
図５に示すように、流路ユニット９０は、流路部材１３０を有している。流路部材１３０は、フレーム９６と、接続部材１３１と、を含む。また、流路ユニット９０は、フィルター９７と、フィルター室フィルム９５と、弁板１３３と、弁ユニット１３４と、を有している。弁ユニット１３４は、流路ユニットばね１３６と、流路ユニット弁体１３７と、流路ユニットシール部１３８と、接続部フィルム１３９とを備える。
【００５１】
フレーム９６は、略直方体形状である。フレーム９６は、合成樹脂によって形成されている。フレーム９６の−Ｘ方向を向く面には、フィルター室形成部９８が形成されている。フィルター室形成部９８は、凹部である。フィルター室形成部９８はＸ方向に見たときに外形が概ね矩形状である。フィルター室形成部９８は、凹部の底を形成する底面１０１と、底面１０１から−Ｘ方向に突出しＹ方向に延びるリブ１０２と、底面１０１を取り囲む内壁の端面である土手部１００と、土手部１００の全周を取り囲むフィルム取り付け部１０３と、を有する。フィルム取り付け部１０３は、土手部１００よりも−Ｘ方向に突出する。
【００５２】
フレーム９６の−Ｙ方向側端部には、接続部９３が形成されている。接続部９３は、フレーム９６から−Ｙ方向に突出している。接続部９３は、中空の管状に形成されており、フィルター室形成部９８に形成された開口１０６を介してフィルター室形成部９８に通じている。つまり、フィルター室形成部９８は、接続部９３を介してフレーム９６の外側に通じている。また、フレーム９６のＹ方向側端部には、接続部１３２が形成されている。接続部１３２は、フレーム９６からＹ方向に突出している。接続部１３２は、中空の管状に形成されており、土手部１００とフィルム取り付け部１０３との間に形成された開口１０５を介して土手部１００とフィルム取り付け部１０３との間に通じている。
【００５３】
接続部材１３１は、フレーム９６の接続部１３２に接続される。接続部材１３１には、前述した液体導入部９１が形成されている。接続部材１３１がフレーム９６の接続部１３２に接続されると、液体導入部９１は開口１０５に通じる。弁板１３３は、接続部材１３１と接続部１３２との間に設けられる。弁板１３３は、液体導入部９１から開口１０５に通じる流路において、開口１０５側から液体導入部９１側へのインクの流れを阻む弁として機能する。弁板１３３は、液体導入部９１側から開口１０５側へのインクの流れを許容する。
【００５４】
液体導入部９１に液体収容体８０からインクが流入すると、弁板１３３が接続部１３２のＹ方向端部に当接する。これにより、液体導入部９１にインクが流動可能な隙間が形成される。つまり、液体導入部９１から開口１０５に通じる流路が開く。これにより、フィルター室形成部９８に対してインクが流入する。ここで、接続部材１３１には、図６に示すように、弁板１３３を包容可能な空間が形成されている。このため、弁板１３３は、接続部材１３１の内側で姿勢を変化させることができる。これにより、フィルター室形成部９８から開口１０５を介して液体導入部９１へインクが流れると、弁板１３３が液体導入部９１に当接する。これにより液体導入部９１が弁板１３３によって閉塞される。
【００５５】
接続部９３は、フレーム９６の−Ｙ方向端部に形成された開口部１３５側から順に、流路ユニットばね１３６と、流路ユニット弁体１３７と、流路ユニットシール部１３８と、が挿入され、最後に、接続部フィルム１３９が接続部９３の先端に溶着などにより接合されることにより形成される。なお、流路ユニット９０がアダプター７０に装着される前の状態において、開口部１３５は、接続部フィルム１３９によって塞がれている。
【００５６】
フィルター９７は、インクは透過させる一方、所定以上の大きさの異物（固形物）を透過させない。つまり、フィルター９７は、インク中の異物を捕捉する。フィルター室フィルム９５は、気体を透過可能であるが、液体であるインクの透過を阻む。フィルター９７は、Ｘ方向に見たときに、土手部１００を覆う大きさを有しており、且つフィルム取り付け部１０３によって囲まれる領域に収まる大きさを有している。フィルター９７は、土手部１００に接合される。これにより、フィルター室形成部９８がフィルター９７によって区画される。フィルター室フィルム９５は、フィルム取り付け部１０３を覆う大きさを有している。フィルター室フィルム９５は、フィルム取り付け部１０３に接合される。これにより、土手部１００とフィルム取り付け部１０３との間の空間がフィルター室フィルム９５によって区画される。
【００５７】
図７に示すように、接続部９３に対して接続針８９が挿入されることによって、接続部フィルム１３９のシールが破られるとともに、流路ユニットシール部１３８と当接してインクの流路を遮断していた流路ユニット弁体１３７が流路ユニットシール部１３８から離れるように押し込まれる。この結果、接続部９３においてインクが流動可能な隙間が形成され、形成された隙間から接続針８９に対してインクが流入する。接続針８９が接続部９３から抜かれると、流路ユニット弁体１３７が流路ユニットシール部１３８に当接し、インクの流路が閉塞される。なお、前述した液体供給部７２における弁ユニット８４の動作及び作用は、図７に示す弁ユニット１３４の動作及び作用と同様である。このため、液体供給部７２における弁ユニット８４の動作及び作用の説明を省略する。
【００５８】
フィルター室形成部９８は、図８に示すように、フィルター９７及びフィルター室フィルム９５と共にフィルター室１０４を形成する。具体的には、フィルター室形成部９８の土手部１００にフィルター９７が貼り付けられ、フィルム取り付け部１０３にフィルター室フィルム９５が貼り付けられることで、フィルター室１０４が形成される。なお、図９には、流路ユニット９０をＸＹ平面で切断したときの断面が示されている。フィルター９７は、土手部１００によって区画形成される開口を塞ぐように気密に貼り付けられている。フィルター室フィルム９５はフィルム取り付け部１０３によって区画形成される開口を塞ぐように気密に貼り付けられている。このように、フィルター９７は、フレーム９６とフィルター室フィルム９５とによって形成された閉空間内に配置されている。
【００５９】
図８に示すように、フィルター室１０４は、フィルター９７によって仕切られた第１室１０４ａと、第２室１０４ｂと、を有する。第１室１０４ａは、フレーム９６と、フィルター９７と、フィルター室フィルム９５とによって形成されている。第２室１０４ｂはフレーム９６と、フィルター９７とによって形成されている。第１室１０４ａと第２室１０４ｂとはフィルター９７によってインクが流動可能なように区画されている。第１室１０４ａと第２室１０４ｂとは隣接する。
【００６０】
第１室１０４ａを流れたインクは、フィルター９７を通過して第２室１０４ｂに流入する。第１室１０４ａの流路断面積は略同じである。一方で、第２室１０４ｂの流路断面積は、上流側１０４ｂａが下流側１０４ｂｂよりも小さくなるように構成されている。本実施形態では、フィルター９７と対向する底面１０１が、第２室１０４ｂの下流側（−Ｙ方向側）に向かうに従いフィルター９７から遠ざかるように傾斜する。これにより、上流側１０４ｂａの流路断面積が下流側１０４ｂｂの流路断面積よりも小さくなる。なお、上流側１０４ｂａから下流側１０４ｂｂまでに至る間に、流路断面積が略同じになる部分を有していても良い。
【００６１】
図８に示すように、インクは開口１０５を通ってフィルター室１０４に流入する。フィルター室１０４を通ったインクは開口１０６を通って流路１０７に流入する。
【００６２】
《回路基板の取り付け構造》
次に、回路基板３０の取り付け構造について説明する。
【００６３】
本実施形態において、回路基板３０は、図９に示すように、第１ケース７３に対して着脱可能に構成されている。このため、回路基板３０を交換することが可能である。回路基板３０は第１ケース７３の−Ｙ方向の端部と、Ｚ方向の端部との交差点に設けられた、基板取り付け面３１に当接するよう設置される。基板取り付け面３１には、基板位置決めピン３２が設けられている。回路基板３０には、基板位置決め穴３３が設けられている。回路基板３０は、基板位置決めピン３２を基板位置決め穴３３に挿入することで、着脱可能に装着される。なお、装着の向きは、回路基板３０に設けられた複数の端子３７が、−Ｙ方向を向くように設置する。
【００６４】
他の実施例として図１０に示すように、第１ケース７３は基板ユニット４０を取り付ける構造を備える。基板ユニット４０は、回路基板３０と、基板用フレーム４１とによって形成される。基板ユニット４０は、第１ケース７３に取り付けるための接続部４２を備え、第１ケース７３の接続受け部４３に挿入することで、着脱可能に装着される。なお、装着の向きは、回路基板３０に設けられた複数の端子３７が、−Ｙ方向を向くように設置する。
【００６５】
《流路ユニット及び回路基板及び基板ユニットの提供方法》
次に流路ユニット９０及び回路基板３０及び基板ユニット４０の提供方法について説明する。
【００６６】
本実施形態において、流路ユニット９０と、回路基板３０及び基板ユニット４０と、はアダプター７０から独立して提供することが可能である。すなわち、流路ユニット９０とアダプター７０とは、一緒に提供しても良いし、別個に提供しても良い。回路基板３０とアダプター７０とは、一緒に提供しても良いし、別個に提供しても良い。基板ユニット４０とアダプター７０とは、一緒に提供しても良いし、別個に提供しても良い。また、提供方法として図１１に示すように、流路ユニット９０と回路基板３０とを一緒に提供する方法と、図１２に示すように流路ユニット９０と基板ユニット４０とを一緒に提供する方法がある。本実施例では、流路ユニット９０と回路基板３０とを一緒に提供するときに、流路ユニット９０と回路基板３０とが１つのパッケージ１２０として提供され得る。また、流路ユニット９０と基板ユニット４０とを一緒に提供するときにも、流路ユニット９０と基板ユニット４０とが１つのパッケージ１２０として提供され得る。これらのパッケージ１２０では、例えば、袋体に収容した形態が採用され得る。この場合、袋体は、透明であっても良いし、半透明であっても良いし、不透明であっても良い。
【００６７】
本実施形態において、弁板１３３が第１弁に対応し、弁ユニット１３４が第２弁に対応する。上記実施形態よれば、以下のような効果を得ることができる。
【００６８】
（１）プリンター１１に接続されるアダプター７０に、フィルター９７が設けられている。そのため、インク中の異物をフィルター９７で捕捉することができる。よって、プリンター１１の信頼性を向上させることができる。
【００６９】
（２）フィルター９７は流路ユニット９０に備えられている。流路ユニット９０はアダプター７０から着脱が可能であるため、流路ユニット９０を新たな流路ユニット９０に交換することで、フィルター９７を新たなフィルター９７に交換することができる。
【００７０】
（３）流路ユニット９０は、接続部９３に、弁ユニット１３４を備える。また、流路ユニット９０は液体導入部９１に弁板１３３を備える。これらの作用により、流路ユニット９０をアダプター７０から取り外したときに、流路ユニット９０内のインクを外部に漏出することを避けやすい。
【００７１】
（４）アダプター７０はプリンター１１との各種情報伝達が可能な回路基板３０を備える。回路基板３０には、記憶装置が設けられている。この記憶装置には、例えば、フィルター９７に関する情報が格納される。フィルター９７に関する情報としては、例えば、フィルター９７の交換タイミングに関する情報などが挙げられる。これにより、例えば、フィルター９７の交換タイミングになったときに、プリンター１１においてユーザーにフィルター９７の交換を促すサインなどを発令させることができる。これにより、流路ユニット９０の交換忘れといった、誤動作を防止することができる。
【００７２】
（５）流路ユニット９０と、回路基板３０または、基板ユニット４０は、アダプター７０から着脱可能である。そのため、流路ユニット９０を交換するときに回路基板３０または、基板ユニット４０も一緒に新たなものに交換することができる。それにより、流路ユニット９０と、回路基板３０と、基板ユニット４０は、交換の頻度に応じてアダプター７０とが別箇に提供することができる。
【００７３】
《変形例１》
次に、他の実施形態である変形例１について説明する。
【００７４】
図１３に示すように、変形例１のアダプター７０は、アダプター導入部１２９と、第１流路部材１４０と、を備える。これらのことを除いて、変形例１のアダプター７０は、上述した実施形態におけるアダプター７０と同様の構成を有している。このため、変形例１において上記実施形態と同様の構成については、上記実施形態と同一の符号を付して詳細な説明を省略する。
【００７５】
アダプター導入部１２９は、液体収容体８０からチューブ７１を介してアダプター７０に供給されるインクを流路ユニット９０に導入する液体導入部として機能する。アダプター導入部１２９のＹ方向端部に、チューブ７１が着脱可能に接続される。また、アダプター導入部１２９の−Ｙ方向の端部には、第１流路部材１４０が、着脱可能に接続される。第１流路部材１４０は、例えば可撓性を有するチューブなどで構成され、流路ユニット９０に設けられた液体導入部９１と、着脱可能に接続される。すなわち、変形例１では、流路ユニット９０とチューブ７１との間に、アダプター導入部１２９と第１流路部材１４０とが介在している。この構造によれば、液体収容体８０に収容されているインクは、アダプター導入部１２９に接続された、チューブ７１を介して第１流路部材１４０に供給される。第１流路部材１４０に供給されたインクは、液体導入部９１を介して流路ユニット９０に供給される。流路ユニット９０に供給されたインクは、流路ユニット９０から液体供給部７２を介して供給チューブＴＢ（図１）に供給される。
【００７６】
変形例１では、液体導入部９１と第１流路部材１４０との接続を解除し、接続部９３と液体供給部７２との接続を解除することによって、流路ユニット９０をアダプター７０に対して着脱可能に構成することができる。これにより、変形例１においても、上記実施形態と同様の効果が得られる。変形例１では、液体導入部９１が第１接続部に対応し、流路ユニット９０が第２流路部材に対応する。
【００７７】
変形例１において、第１流路部材１４０は、単純な構造のチューブであるが、第１流路部材１４０は、流路ユニット９０のように機能を持った流路であっても良い。
【００７８】
上記の変形例１においても、前述した実施形態と同様の効果が得られる。
【符号の説明】
【００７９】
１１…プリンター、１１ａ…筐体、１１ｂ…操作ボタン、１１ｃ…カバー、１２…フレーム、１２ａ…制御部、１３…支持台、１４ａ…紙送りモーター、１４ｂ…キャリッジモーター、１５…ガイド軸、１６…キャリッジ、１６ａ…支持孔、１７…タイミングベルト、１７ａ…駆動プーリー、１７ｂ…従動プーリー、１８…メンテナンス装置、１９ａ…キャップ、２０…装着部、３０…回路基板、３１…基板取り付け面、３２…位置決めピン、３３…基板位置決め穴、３７…端子、４０…基板ユニット、４１…基板フレーム、４２…接続部、４３…接続受け部、７０…アダプター、７１…チューブ、７２…液体供給部、７３…第１ケース、７４…第２ケース、７５…ケース、７６…収容部、７７…流路部材、８０…液体収容体、８４…弁ユニット、８５…供給路、８７…弁体、８８…シール部材、８９…接続針、９０…流路ユニット、９１…液体導入部、９３…接続部、９５…フィルター室フィルム、９６…フレーム、９７…フィルター、９８…フィルター室形成部、１００…土手部、１０１…底面、１０２…延びるリブ、１０３…フィルム取り付け部、１０４…フィルター室、１０４ａ…第１室、１０４ｂ…第２室、１０４ｂａ…上流側、１０４ｂｂ…下流側、１０５…開口、１０６…開口、１２０…パッケージ、１２９…アダプター導入部、１３０…流路部材、１３１…接続部材、１３２…接続部、１３３…弁板、１３４…弁ユニット、１３５…開口部、１３６…流路ユニットばね、１３７…流路ユニット弁体、１３８…シール部、１３９…接続部フィルム、１４０…第１流路部材。
【図１】
2016150520.tif 000003
【図２】
2016150520.tif 000004
【図３】
2016150520.tif 000005
【図４】
2016150520.tif 000006
【図５】
2016150520.tif 000007
【図６】
2016150520.tif 000008
【図７】
2016150520.tif 000009
【図８】
2016150520.tif 000010
【図９】
2016150520.tif 000011
【図１０】
2016150520.tif 000012
【図１１】
2016150520.tif 000013
【図１２】
2016150520.tif 000014
【図１３】
2016150520.tif 000015